(57)【特許請求の範囲】
【請求項１】
ワイヤレスデバイスによって実行されるワイヤレス通信の方法であって、
ネットワークへの接続のためのサービングセルを選択することと、
デバイス間通信における使用のための近傍セル上の周波数バンドについての探索を行うことと、前記周波数バンドは、デバイス間通信における使用のために利用可能な少なくとも１つの周波数を含み、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を備え、
前記周波数バンドについての前記探索を行うことは、ネットワーク接続が、所定の数の決定内で検出されたとき、前記近傍セル上の前記周波数バンドについての前記探索が成功であることを決定することを備え、
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
をさらに備える、方法。
【請求項２】
前記デバイス間通信は、前記近傍セル上の前記周波数バンドについての前記探索が失敗するとき、予め構成されたオフセットタイミングを使用して、さらに行われる、請求項１に記載の方法。
【請求項３】
前記近傍セルから受信されたシステム情報ブロック（ＳＩＢ）を使用して、前記近傍セルの前記周波数バンドに関連付けられた前記リソースを決定すること、ここにおいて、前記システム情報ブロックは、前記近傍セルからのオーバヘッドメッセージにおいて受信される、と、
システム情報が変更されたかどうかを決定するために、前記ＳＩＢを復号することと、  前記システム情報が変更されたことが決定されるとき、少なくとも１つの追加的なＳＩＢを復号することと
をさらに備える、請求項１に記載の方法。
【請求項４】
前記近傍セルの前記周波数バンドを使用して、デバイス間送信を行うことと、
前記近傍セルの前記周波数バンドを使用して、デバイス間受信を行うことと
をさらに備える、請求項３に記載の方法。
【請求項５】
前記サービングセルの周波数バンドを使用して、デバイス間送信を行うことと、
前記近傍セルの前記周波数バンドを使用して、デバイス間受信を行うことと
をさらに備える、請求項３に記載の方法。
【請求項６】
所定の数の探索の後に、ネットワーク接続が検出されないとき、前記近傍セル上の前記周波数バンドについての前記探索が失敗したことを決定すること、または、
ネットワーク接続が、１つまたは複数の所定数の探索内で検出されたとき、前記近傍セル上の前記周波数バンドについての前記探索が成功であることを決定すること
をさらに備える、請求項１に記載の方法。
【請求項７】
前記周波数バンドに関連付けられた予め構成されたリソースを使用して、前記デバイス間通信を行うことは、予め構成された優先度に基づいて、または前記デバイス間通信において使用された前の周波数に基づいて、周波数のリストから周波数を選択することを備え、
前記近傍セルの前記周波数バンドに関連付けられたリソースを使用して、前記デバイス間通信を行うことは、前記近傍セルからのシステム情報ブロックにおいて受信された優先度情報に基づいて、前記近傍セルの前記周波数バンド中の前記デバイス間通信における使用のために利用可能な複数の周波数から、前記デバイス間通信のために使用する周波数を選択することを備える、
請求項１に記載の方法。
【請求項８】
前記デバイス間通信が前記周波数バンド上で許されないことを決定することと、
前記デバイス間通信が前記周波数バンド上で許されないとき、前記探索を停止することと
をさらに備える、請求項１に記載の方法。
【請求項９】
ワイヤレス通信のための装置であって、
ネットワークへの接続のためのサービングセルを選択するための手段と、
デバイス間通信における使用のための近傍セル上の周波数バンドについての探索を行うための手段と、前記周波数バンドは、デバイス間通信における使用のために利用可能な少なくとも１つの周波数を含み、
前記近傍セル上の前記周波数バンドについての前記探索が失敗するとき、前記周波数バンドに関連付けられた予め構成されたリソースを使用して、前記デバイス間通信を行うための手段と、
前記近傍セル上の前記周波数バンドについての前記探索が成功であるとき、前記近傍セルの前記周波数バンドに関連付けられたリソースを使用して、前記デバイス間通信を行うための手段と
を備え、
前記周波数バンドについての前記探索を行うことは、ネットワーク接続が、所定の数の決定内で検出されたとき、前記近傍セル上の前記周波数バンドについての前記探索が成功であることを決定することを備え、
前記近傍セル上の前記周波数バンドについての前記探索が失敗する場合、ネットワーク接続が前記近傍セルと前に確立されたかどうかを決定するための手段と、
信頼メトリックに基づいて、前記近傍セル上の前記周波数バンドについての前記探索が失敗するとき、前記周波数バンドに関連付けられた前記予め構成されたリソースを使用して、前記デバイス間通信を行うための手段と
をさらに備える、装置。
【請求項１０】
前記近傍セルから受信されたシステム情報ブロック（ＳＩＢ）を使用して、前記近傍セルの前記周波数バンドに関連付けられた前記リソースを決定するための手段、ここにおいて、前記システム情報ブロックは、前記近傍セルからのオーバヘッドメッセージにおいて受信される、と、
システム情報が変更されたかどうかを決定するために、前記ＳＩＢを復号するための手段と、
前記システム情報が変更されたことが決定されるとき、少なくとも１つの追加的なＳＩＢを復号するための手段と
をさらに備える、請求項９に記載の装置。
【請求項１１】
前記デバイス間通信を行うための手段は、予め構成された優先度に基づいて、または前記デバイス間通信において使用された前の周波数に基づいて、周波数のリストから周波数を選択することによって、前記周波数バンドに関連付けられた予め構成されたリソースを使用し、
前記デバイス間通信を行うための手段は、前記近傍セルからのシステム情報ブロックにおいて受信された優先度情報に基づいて、前記近傍セルの前記周波数バンド中の前記デバイス間通信における使用のために利用可能な複数の周波数から、前記デバイス間通信のために使用する周波数を選択することによって、前記近傍セルの前記周波数バンドに関連付けられたリソースを使用する、
請求項９に記載の装置。
【請求項１２】
ワイヤレス通信のためのコンピュータ実行可能コードを記憶するコンピュータ読取り可能媒体であって、
ネットワークへの接続のためのサービングセルを選択することと、
デバイス間通信における使用のための近傍セル上の周波数バンドについての探索を行うことと、前記周波数バンドは、デバイス間通信における使用のために利用可能な少なくとも１つの周波数を含み、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を行うためのコードを備え、
前記周波数バンドについての前記探索を行うことは、ネットワーク接続が、所定の数の決定内で検出されたとき、前記近傍セル上の前記周波数バンドについての前記探索が成功であることを決定することを備え、
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
を行うためのコードをさらに備える、コンピュータ読取り可能媒体。
【発明の詳細な説明】
【関連出願の相互参照】
【０００１】
[0001]本願は、「FREQUENCY DETERMINATION FOR DEVICE-TO-DEVICE TRANSMISSIONS AND RECEPTIONS」と題され、２０１５年９月１５日に出願された米国仮特許出願第６２／２１９，０４３号、および「FREQUENCY DETERMINATION FOR DEVICE-TO-DEVICE TRANSMISSIONS AND RECEPTIONS」と題され、２０１６年９月１２日に出願された米国特許出願第１５／２６２，８５７号の利益を主張し、それらは、それら全体が本明細書に参照によって明確に組み込まれる。
【技術分野】
【０００２】
[0002]本開示は、一般に、通信システムに関し、より具体的には、デバイス間（device-to-device）送信および受信のための周波数の決定に関連する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソースを共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが、地方自治体の、国の、地域の、さらには地球規模のレベルで通信することを可能とする共通のプロトコルを提供するために、様々な電気通信規格において導入されてきた。例となる電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張型（enhancement to）のセットである。ＬＴＥは、ダウンリンク上でＯＦＤＭＡ、アップリンク上でＳＣ−ＦＤＭＡ、および多入力多出力（ＭＩＭＯ）アンテナ技術を使用して、改善されたスペクトル効率、下げられたコスト、改善されたサービスを通じたモバイルブロードバンドアクセスをサポートするように設計されている。しかしながら、モバイルブロードバンドアクセスを求める需要が高まり続けるにつれ、ＬＴＥ技術にはさらなる改善の必要が存在する。これらの改善はまた、これらの技術を用いる他の多元接続技術および電気通信規格に適用可能であり得る。
【発明の概要】
【０００５】
[0005]以下は、そのような態様の基本的な理解を提供するために、１つ以上の態様の簡略化された概要を提示する。この概要は、全ての熟考された態様の広範な概観でなく、全ての態様の鍵となるもしくは重要な要素を識別することも、任意のまたは全ての態様の範囲を詳細に叙述することも、意図されていない。その唯一の目的は、後に提示されるさらなる詳細な説明への序文として、簡略化された形態で１つ以上の態様のいくつかの概念を提示することである。
【０００６】
[0006]本開示の態様において、方法、コンピュータ読取り可能媒体、および装置が提供される。装置は、ネットワークへの接続のためのサービングセルを選択する。装置は、デバイス間通信における使用のための近傍セル上の周波数バンドについての探索を行う。装置は、近傍セル上の周波数バンドについての探索が失敗するとき、周波数バンドに関連付けられた予め構成されたリソースを使用して、デバイス間通信を行う。装置は、近傍セル上の周波数バンドについての探索が成功であるとき、近傍セルの周波数バンドに関連付けられたリソースを使用して、デバイス間通信を行う。
【０００７】
[0007]先述のおよび関連する目的の達成に向けて、１つまたは複数の態様は、以下で十分に説明され、請求項において具体的に指摘される特徴を備える。以下の説明および添付図面は、１つまたは複数の態様のある特定の例示的な特徴を詳細に記載する。しかしながら、これらの特徴は、様々な態様の原理が用いられ得る様々なやり方のうちのほんの少数を示し、本説明は、全てのこのような態様およびそれらの同等物を含むように意図される。
【図面の簡単な説明】
【０００８】
【図１】[0008]図１は、ワイヤレス通信システムおよびアクセスネットワークの例を例示する図である。
【図２】[0009]図２Ａは、ＤＬフレーム構造のＬＴＥの例を例示する図である。図２Ｂは、ＤＬフレーム構造内のＤＬチャネルのＬＴＥの例を例示する図である。図２Ｃは、ＵＬフレーム構造のＬＴＥの例を例示する図である。図２Ｄは、ＵＬフレーム構造内のＵＬチャネルのＬＴＥの例を例示する図である。
【図３】[0010]図３は、アクセスネットワークにおける発展型ノードＢ（ｅＮＢ）およびユーザ機器（ＵＥ）の例を例示する図である。
【図４】[0011]図４は、ワイヤレス通信システムの一態様の図である。
【図５】[0012]図５は、デバイス間通信を含むワイヤレス通信システムの一態様の図である。
【図６】[0013]図６は、デバイス間通信を含むワイヤレス通信システムの一態様の図である。
【図７】[0014]図７は、デバイス間通信を含むワイヤレス通信システムの一態様の図である。
【図８】[0015]図８は、デバイス間通信を含むワイヤレス通信システムの一態様の図である。
【図９】[0016]図９は、周波数間（inter-frequency）近傍セル探索／検出プロシージャの一態様の図である。
【図１０Ａ】[0017]図１０Ａは、様々な態様に従った、ワイヤレス通信の方法のフローチャートである。
【図１０Ｂ】図１０Ｂは、様々な態様に従った、ワイヤレス通信の方法のフローチャートである。
【図１０Ｃ】図１０Ｃは、様々な態様に従った、ワイヤレス通信の方法のフローチャートである。
【図１１】[0018]図１１は、例となる装置における異なる手段／コンポーネント間でのデータフローを例示する概念的なデータフロー図である。
【図１２】[0019]図１２は、処理システムを用いる装置のためのハードウェアインプリメンテーションの例を例示する図である。
【詳細な説明】
【０００９】
[0020]添付図面に関連して以下に記載される詳細な説明は、様々な構成の説明として意図され、ここに説明される概念が実現され得るのはこれらの構成においてのみであることを表すようには意図されない。詳細な説明は、様々な概念の完全な理解を提供する目的で具体的な詳細を含む。しかしながら、これらの概念がこれらの具体的な詳細なく実現され得ることは、当業者には明らかであろう。いくつかの実例において、周知の構造およびコンポーネントが、このような概念を不明確にすることを避けるために、ブロック図形式で示される。
【００１０】
[0021]ここでは、電気通信システムのいくつかの態様が、様々な装置および方法を参照して提示される。これらの装置および方法は、以下の詳細な説明中で説明され、様々なブロック、コンポーネント、回路、ステップ、プロセス、アルゴリズム、等によって添付の図面中で例示されることになる。（集合的には、「要素」と呼ばれる）。これらの要素は、電子ハードウェア、コンピュータ・ソフトウェア、またはそれらの任意の組合せを使用してインプリメントされ得る。そのような要素が、ハードウェアとしてインプリメントされるか、またはソフトウェアとしてインプリメントされるかは、システム全体に課される設計制約、および特定のアプリケーションに依存する。
【００１１】
[0022]例として、要素、または要素の任意の部分、あるいは要素の任意の組合せは、１つまたは複数のプロセッサを含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、およびこの開示全体を通じて説明される様々な機能を行うように構成された他の適したハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、または別の形のいずれで呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味するように広く解釈されることとする。
【００１２】
[0023]それ故に、１つまたは複数の例となる実施形態において、説明される機能は、ハードウェア、ソフトウェア、またはそれらの任意の組み合わせ中でインプリメントされ得る。ソフトウェア中でインプリメントされる場合、機能は、コンピュータ読取り可能媒体上に記憶されるか、または１つまたは複数の命令またはコードとしてコンピュータ読取り可能媒体上で符号化され得る。コンピュータ読取り可能媒体は、コンピュータ記憶媒体を含む。記憶媒体は、コンピュータによってアクセスされることができる任意の利用可能な媒体であり得る。限定ではなく例として、こうしたコンピュータ読取り可能媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光学ディスクストレージ、磁気ディスクストレージ、他の磁気記憶デバイス、上述のタイプのコンピュータ読取り可能媒体の組合せ、あるいはコンピュータによってアクセスされることができるデータ構造または命令の形態でコンピュータ実行可能コードを記憶するために使用されることができる任意の他の媒体を備えることができる。
【００１３】
[0024]図１は、ワイヤレス通信システムおよびアクセスネットワーク１００の例を例示する図である。（ワイヤレスワイドエリアネットワーク（ＷＷＡＮ）とも呼ばれる）ワイヤレス通信システムは、基地局１０２、ＵＥ１０４、および発展型パケットコア（ＥＰＣ:Evolved Packet Core）１６０を含む。基地局１０２は、マクロセル（高出力（high power）セルラ基地局）および／またはスモールセル（低出力（low power）セルラ基地局）を含み得る。マクロセルはｅＮＢを含む。スモールセルは、フェムトセル、ピコセル、およびマイクロセルを含む。
【００１４】
[0025]（集合的には、発展型ユニバーサルモバイル電気通信システム（ＵＭＴＳ）地上無線アクセスネットワーク（Ｅ−ＵＴＲＡＮ）と呼ばれる）基地局１０２は、バックホールリンク１３２（例えば、Ｓ１インターフェース）を通じてＥＰＣ１６０とインターフェースする。他の機能に加えて、基地局１０２は、以下の機能：ユーザデータの転送、無線チャネル暗号化および暗号解読、完全性保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージについての分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信のうちの１つまたは複数を行い得る。基地局１０２は、バックホールリンク１３４（例えば、Ｘ２インターフェース）上で、直接的にまたは（ＥＰＣ１６０を通じて）間接的に互いに通信し得る。バックホールリンク１３４は、有線またはワイヤレスであり得る。
【００１５】
[0026]基地局１０２は、ＵＥ１０４とワイヤレスに通信し得る。基地局１０２の各々は、それぞれの地理的カバレッジエリア１１０に通信カバレッジを提供し得る。重複する地理的カバレッジエリア１１０があり得る。例えば、スモールセル１０２’は、１つまたは複数のマクロ基地局１０２のカバレッジエリア１１０と重複するカバレッジエリア１１０’を有し得る。スモールセルとマクロセルとの両方を含むネットワークは、異機種ネットワークとして知られ得る。異機種ネットワークはまた、クローズド加入者グループ（ＣＳＧ）として知られる制限されたグループにサービスを提供し得る、ホーム発展型ノードＢ（ｅＮＢ）（ＨｅＮＢ）を含み得る。基地局１０２とＵＥ１０４との間の通信リンク１２０は、ＵＥ１０４から基地局１０２までのアップリンク（ＵＬ）（逆方向リンクとも呼ばれる）送信、および／または基地局１０２からＵＥ１０４までのダウンリンク（ＤＬ）（順方向リンクとも呼ばれる）送信を含み得る。通信リンク１２０は、空間多重化、ビームフォーミング、および／または送信ダイバーシチを含む、ＭＩＭＯアンテナ技術を使用し得る。通信リンクは、１つまたは複数のキャリアを通じたものであり得る。基地局１０２／ＵＥ１０４は、各方向への送信のために使用される最大で合計ＹｘＭＨｚ（ｘ個のコンポーネントキャリア）までのキャリアアグリゲーションにおいて割り振られる１つのキャリアごとに、最大ＹＭＨｚ（例えば、５、１０、１５、２０ＭＨｚ）帯域幅までのスペクトルを使用し得る。キャリアは、互いに隣接することも、または隣接しないこともある。キャリアの割り当ては、ＤＬおよびＵＬに関して非対称であり得る（例えば、ＵＬに対してよりもＤＬに対して、より多くのまたはより少ないキャリアが割り振られ得る）。コンポーネントキャリアは、プライマリコンポーネントキャリアおよび１つまたは複数のセカンダリコンポーネントキャリアを含み得る。プライマリコンポーネントキャリアは、プライマリセル（PCell）と呼ばれ得、セカンダリコンポーネントキャリアは、セカンダリセル（SCell）と呼ばれ得る。
【００１６】
[0027]ワイヤレス通信システムは、５ＧＨｚのアンライセンスの周波数スペクトル中で通信リンク１５４を介してＷｉ−Ｆｉ局（ＳＴＡ）１５２と通信中のＷｉ−Ｆｉアクセスポイント（ＡＰ）１５０をさらに含み得る。アンライセンスの周波数スペクトル中で通信するとき、ＳＴＡ１５２／ＡＰ１５０は、チャネルが利用可能かどうかを決定するために、通信することより前にクリアチャネル評価（ＣＣＡ）を行い得る。
【００１７】
[0028]スモールセル１０２’は、ライセンスのおよび／またはアンライセンスの周波数スペクトル中で動作し得る。アンライセンスの周波数スペクトル中で動作するとき、スモールセル１０２’は、ＬＴＥを用い得、Ｗｉ−Ｆｉ  ＡＰ１５０によって使用されるのと同じ５ＧＨｚのアンライセンスの周波数スペクトルを使用し得る。スモールセル１０２’は、アンライセンスの周波数スペクトルにおいてＬＴＥを用いて、アクセスネットワークへのカバレッジを増強（boost）させ得る、および／またはアクセスネットワークの能力を高め得る。アンライセンスのスペクトルにおけるＬＴＥは、ＬＴＥアンライセンスの（ＬＴＥ−Ｕ）、ライセンス補助アクセス（ＬＡＡ：licensed assisted access）、またはＭｕＬＴＥｆｉｒｅと呼ばれ得る。
【００１８】
[0029]ミリメートル波（ｍｍＷ）基地局１８０は、ｍｍＷ周波数および／またはニアｍｍＷ周波数（near mmW frequencies）で動作し得る。極高周波（ＥＨＦ：extremely high frequency）は、電磁スペクトルにおけるＲＦの部分である。ＥＨＦは、３０ＧＨｚから３００ＧＨｚの範囲および１ミリメートルと１０ミリメートルとの間の波長を有する。バンドにおける電波（radio waves）は、ミリメートル波と呼ばれ得る。ニアｍｍＷは、１００ミリメートル波の波長をもつ３ＧＨｚの周波数まで下方に延長し得る。ＳＨＦ（super high frequency）バンドは、３ＧＨｚと３０ＧＨｚとの間に延長し、また、センチメートル波と呼ばれ得る。ｍｍＷ／ニアｍｍＷ無線周波数バンドを使用する通信は、極めて（extremely）高いパスロスおよび短いレンジを有する。ｍｍＷ基地局１８０は、極めて高いパスロスおよび短いレンジを補償（compensate for）するためのビームフォーミング１８４を利用し得る。
【００１９】
[0030]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信中であり得る。ＭＭＥ１６２は、ＵＥ１０４とＥＰＣ１６０との間のシグナリングを処理する制御ノードである。一般に、ＭＭＥ１６２は、ベアラおよび接続管理を提供する。全てのユーザインターネットプロトコル（ＩＰ）パケットが、サービングゲートウェイ１６６を通じて転送され、それ自体が、ＰＤＮゲートウェイ１７２に接続されている。ＰＤＮゲートウェイ１７２は、他の機能だけでなく、ＵＥ  ＩＰアドレス割り当てを提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして役立ち得、地上波公共移動通信ネットワーク（ＰＬＭＮ）内でＭＢＭＳベアラサービスを認証および開始するために使用され得、ＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）およびｅＭＢＭＳ関連課金情報を集めることを担い（responsible for）得る。
【００２０】
[0031]基地局はまた、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、または何らかの他の適した専門用語で呼ばれ得る。基地局１０２は、ＵＥ１０４に対してＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、タブレット、スマートデバイス、ウェアラブルデバイス、または任意の他の同様に機能するデバイスを含む。ＵＥ１０４はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語でも呼ばれ得る。
【００２１】
[0032]図１を再び参照すると、ある特定の態様において、第１のＵＥ１０４ａは、第２のＵＥ１０４ｂとのデバイス間（Ｄ２Ｄ）通信１９８に従事する（engage in）ために動作可能であり得る。態様において、第１のＵＥ１０４ａおよび／または第２のＵＥ１０４ｂは、Ｄ２Ｄ通信１９８に対して使用するための周波数バンドに関連付けられたリソースを決定し得る。一態様によると、第１のＵＥ１０４ａは、ネットワークへの接続のための第１のｅＮＢ１０２ａによって提供されるサービングセル１１０ａ（例えば、地理的カバレッジエリア）を選択し得る。第１のＵＥ１０４ａは、Ｄ２Ｄ通信１９８における使用のために、第２のｅＮＢ１０２ｂによって提供される、近傍セル１１０ｂ上の周波数バンドについて探索を行い得る。
【００２２】
[0033]第１のＵＥ１０４ａによる探索が、成功であるとき（例えば、第１のＵＥ１０４ａが、第２のｅＮＢ１０２ｂを通じてネットワーク接続を検出、および／または第２のｅＮＢ１０２ｂからシステム情報を受信するとき）、第１のＵＥ１０４ａは、近傍セル１１０ｂの周波数バンドに関連付けられたリソースを使用して、第２のＵＥ１０４ｂとのＤ２Ｄ通信１９８を行い得る。
【００２３】
[0034]第１のＵＥ１０４ａによる探索が、不成功であるとき（例えば、第１のＵＥ１０４ａが、第２のｅＮＢ１０２ｂを通じて、ネットワーク接続を検出できない、および／または第１のＵＥ１０４ａが第２のｅＮＢ１０４からのシステム情報を受信しない／それを復号できないとき）、第１のＵＥ１０４ａは、予め構成されたリソース（例えば、近傍セル１０４ｂの周波数バンドに関連付けられた予め構成されたリソース）を使用して、第２のＵＥ１０４ｂとのＤ２Ｄ通信１９８を行い得る。第１のＵＥ１０４ａは、予め構成されたリソースに関連付けられた情報を記憶し得、および／または、第２のｅＮＢ１０４ｂとの前の通信に基づいて、予め構成されたリソースを決定し得る。
【００２４】
[0035］図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有し得る。ＬＴＥにおいて、フレーム（１０ｍｓ）は、１０個の等しいサイズのサブフレームに分割され得る。各サブフレームは、２つの連続のタイムスロットを含み得る。リソースグリッドは、２つのタイムスロットを表すために使用され得、各タイムスロットは、１つまたは複数の時間コンカレント（time concurrent）なリソースブロック（ＲＢ）（物理ＲＢ（ＰＲＢ）とも呼ばれる）を含む。リソースグリッドは、複数のリソース要素（ＲＥ）に分割される。ＬＴＥにおいて、通常のサイクリックプリフィックスでは、ＲＢは、周波数ドメインにおいて１２個の連続のサブキャリアを、時間ドメインにおいて７つの連続のシンボルを（ＤＬではＯＦＤＭシンボルを、ＵＬではＳＣ−ＦＤＭＡを）含み、合計８４個のＲＥである。拡張されたサイクリックプリフィックスでは、ＲＢが、周波数ドメインにおいて１２個の連続のサブキャリアを、時間ドメインにおいて６つの連続のシンボルを含み、合計７２個のＲＥである。各ＲＥよって搬送されるビット数は、変調スキームに依存する。
【００２５】
[0036]図２Ａにおいて例示されるように、ＲＥのうちのいくつかは、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ）、ＵＥ固有基準信号（ＵＥ−ＲＳ）、およびチャネル状態情報基準信号（ＣＳＩ−ＲＳ）を含み得る。図２Ａは、アンテナポート０、１、２、および３（Ｒ０、Ｒ１、Ｒ２、およびＲ３、とそれぞれ示されている）のためのＣＲＳ、アンテナポート５（Ｒ５と示されている）のためのＵＥーＲＳ、およびアンテナポート１５（Ｒと示されている）のためのＣＳＩ−ＲＳを例示する。図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が、１つのシンボルか、２つのシンボルか、または３つのシンボルを占有するか（図２Ｂは、３つのシンボルを占有するＰＤＣＣＨを例示する）を示す制御フォーマットインジケータ（ＣＦＩ）を搬送する。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボルにおいて４つの連続のＲＥを含む。ＵＥは、ＤＣＩもまた搬送するＵＥ固有強化型ＰＤＣＣＨ（ｅＰＤＣＣＨ）で構成され得る。ｅＰＤＣＣＨは、２つ、４つ、または８つのＲＢペアを有し得る（図２Ｂは、２つのＲＢペアを示し、各サブセットは、１つのＲＢペアを含む）。物理ハイブリット自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱアクノレッジメント（ＡＣＫ）／ネガティブＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤ識別を決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセル識別グループ番号を決定するためにＵＥによって使用されるセカンダリ同期信号（ＳＳＳ）を搬送する。物理レイヤ識別および物理レイヤセル識別グループ番号に基づいて、ＵＥは、物理セル識別子（ＰＣＩ）を決定することができる。ＰＣＩに基づいて、ＵＥは、上述のＤＬ−ＲＳのロケーションを決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅におけるＲＢの数、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通じて送信されないブロードキャストシステム情報、およびページングメッセージを搬送する。
【００２６】
[0037]図２Ｃにおいて例示されるように、ＲＥのうちのいくつかは、ｅＮＢにおけるチャネル推定のための復調基準信号（ＤＭ−ＲＳ）を搬送する。ＵＥは、追加的に、サブフレームの最後のシンボル中でサウンディング基準信号（ＳＲＳ）を送信し得る。ＳＲＳはコーム構造を有し得、ＵＥは、コームのうちの１つ上でＳＲＳを送信し得る。ＳＲＳは、ＵＬ上での周波数依存スケジューリングを可能とするよう、チャネル品質推定のためにｅＮＢによって使用され得る。図２Ｄは、フレームのＵＬサブフレーム内の様々なチャネルの例を例示する。物理ランダムアクセスチャネル（ＰＲＡＣＨ）は、ＰＲＡＣＨ構成に基づくフレーム内の１つまたは複数のサブフレーム内にあり得る。ＰＲＡＣＨは、サブフレーム内に６つの連続のＲＢペアを含み得る。ＰＲＡＣＨは、ＵＥが初期システムアクセスを行い、ＵＬ同期を達成することを可能にする。物理アップリンク制御チャネル（ＰＵＣＣＨ）は、ＵＬシステム帯域幅の両端（edges）に位置し得る。ＰＵＣＣＨは、スケジューリング要求、チャネル品質インジケータ（ＣＱＩ）、プリコーディングマトリクスインジケータ（ＰＭＩ）、ランクインジケータ（ＲＩ）、およびＨＡＲＱ  ＡＣＫ／ＮＡＣＫフィードバックのような、アップリンク制御情報（ＵＣＩ）を搬送する。ＰＵＳＣＨはデータを搬送し、追加的に、バッファステータスレポート（ＢＳＲ）、パワーヘッドルームレポート（ＰＨＲ）、および／またはＵＣＩを搬送するために使用され得る。
【００２７】
[0038]図３は、アクセスネットワークにおいてＵＥ３５０と通信中のｅＮＢ３１０のブロック図である。ＤＬにおいて、ＥＰＣ１６０からのＩＰパケットは、コントローラ／プロセッサ３７５に提供され得る。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）をブロードキャストすること、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、ＵＥ測定報告に関する測定構成に関連付けられたＲＲＣレイヤ機能；ヘッダ圧縮／圧縮解除、セキュリティ（暗号化、暗号解読、インテグリティ保護、インテグリティ検証）、およびハンドオーバサポート機能に関連付けられたＰＤＣＰレイヤ機能；上位レイヤパケットデータユニット（ＰＤＵ）の転送、ＡＲＱを通じた誤り訂正、ＲＬＣサービスデータユニット（ＳＤＵ）の連結、セグメント化、および再構築（reassembly）、ＲＬＣデータＰＤＵの再セグメント化、およびＲＬＣデータＰＤＵの再順序付けに関連付けられたＲＬＣレイヤ機能；ならびに論理チャネルとトランスポートチャネルとの間でのマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱを通じた誤り訂正、優先度処理（priority handling）、および論理チャネル優先順位付けに関連付けられたＭＡＣレイヤ機能を提供する。
【００２８】
[0039]送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含む、レイヤ１は、トランスポートチャネル上での誤り検出、トランスポートチャネルの前方誤り訂正（ＦＥＣ）符号化／復号化、インタリービング、レートマッチング、物理チャネル上へのマッピング、物理チャネルの変調／復調、およびＭＩＭＯアンテナ処理を含み得る。ＴＸプロセッサ３１６は、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを扱う。符号化および変調されたシンボルはその後、並列ストリームに分けられ得る。各ストリームはその後、ＯＦＤＭサブキャリアにマッピングされ得、時間および／または周波数ドメインにおいて参照信号（例えば、パイロット）とともに多重化され得、その後逆高速フーリエ変換（ＩＦＦＴ）を使用して互いに組み合わされて、時間ドメインＯＦＤＭシンボルストリームを搬送する物理チャネルを作り出す。ＯＦＤＭストリームは、複数の空間ストリームを作り出すために空間的にプリコーディングされる。チャネル推定器３７４からのチャネル推定値は、空間処理のためだけでなく、符号化および変調スキームを決定するために使用され得る。チャネル推定値は、ＵＥ３５０によって送信されたチャネル状態フィードバックおよび／または参照信号から導出され得る。各空間ストリームはその後、別個の送信機３１８ＴＸを介して異なるアンテナ３２０に提供され得る。各送信機３１８ＴＸは、送信のためにそれぞれの空間ストリームでＲＦキャリアを変調し得る。
【００２９】
[0040]ＵＥ３５０において、各受信機３５４ＲＸは、それのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０に宛てられたいずれの空間ストリームも復元するために、情報に対して空間処理を行い得る。複数の空間ストリームがＵＥ３５０に宛てられている場合、それらは、ＲＸプロセッサ３５６によって組み合わされて単一のＯＦＤＭシンボルストリームになり得る。ＲＸプロセッサ３５６はその後、高速フーリエ変換（ＦＦＴ）を使用して、ＯＦＤＭシンボルストリームを時間ドメインから周波数ドメインにコンバートする。周波数ドメイン信号は、ＯＦＤＭ信号のサブキャリア毎に別個のＯＦＤＭシンボルストリームを備える。各サブキャリア上のシンボル、および参照信号は、ｅＮＢ３１０によって送信された最も確実性のある（most likely）信号コンステレーションポイントを決定することによって復元および復調される。これらの軟判定は、チャネル推定器３５８によって計算されたチャネル推定値に基づき得る。これらの軟判定はその後、物理チャネル上でｅＮＢ３１０によって元々送信されたデータおよび制御信号を復元するために、復号およびデインターリーブされる。データおよび制御信号はその後、レイヤ３およびレイヤ２の機能をインプリメントする、コントローラ／プロセッサ３５９に提供される。
【００３０】
[0041]コントローラ／プロセッサ３５９は、プログラムコードおよびデータを記憶するメモリ３６０に関連付けられることができる。メモリ３６０は、コンピュータ読取り可能媒体と呼ばれ得る。ＵＬにおいて、コントローラ／プロセッサ３５９は、ＥＰＣ１６０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３５９はまた、ＨＡＲＱ動作をサポートするために、ＡＣＫおよび／またはＮＡＣＫプロトコルを使用する誤り検出を担う。
【００３１】
[0042]ｅＮＢ３１０によるＤＬ送信に関連して説明された機能と同様に、コントローラ／プロセッサ３５９は、システム情報（例えば、ＭＩＢ、ＳＩＢ）獲得、ＲＲＣ接続、および測定報告に関連付けられたＲＲＣレイヤの機能；ヘッダ圧縮／解凍、およびセキュリティ（暗号化、暗号解読、インテグリティ保護、インテグリティ検証）に関連付けられたＰＤＣＰレイヤの機能；上位レイヤＰＤＵの転送、ＡＲＱを通じた誤り訂正、ＲＬＣ  ＳＤＵの連結、セグメント化、および再構築、ＲＬＣデータＰＤＵの再セグメント化、およびＲＬＣデータＰＤＵの再順序付けに関連付けられたＲＬＣレイヤの機能；ならびに論理チャネルとトランスポートチャネルとの間でのマッピング、ＴＢ上へのＭＡＣ  ＳＤＵの多重化、ＴＢからのＭＡＣ  ＳＤＵの逆多重化、スケジューリング情報レポーティング、ＨＡＲＱを通じた誤り訂正、優先度処理、および論理チャネル優先順位付けに関連付けられたＭＡＣレイヤ機能を提供する。
【００３２】
[0043]ｅＮＢ３１０によって送信されたフィードバックまたは基準信号からチャネル推定器３５８によって導出されたチャネル推定値は、適切な符号化および変調スキームを選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためにそれぞれの空間ストリームでＲＦキャリアを変調し得る。
【００３３】
[0044]ＵＬ送信は、ＵＥ３５０における受信機機能に関連して説明されたのと同様の方法でｅＮＢ３１０において処理される。各受信機３１８ＲＸは、それのそれぞれのアンテナ３２０を通じて信号を受信する。各受信機３１８ＲＸは、ＲＦキャリア上に変調された情報を復元し、その情報をＲＸプロセッサ３７０に提供する。
【００３４】
[0045]コントローラ／プロセッサ３７５は、プログラムコードおよびデータを記憶するメモリ３７６に関連付けられることができる。メモリ３７６は、コンピュータ読取り可能媒体と呼ばれ得る。ＵＬにおいて、コントローラ／プロセッサ３７５は、ＵＥ３５０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用する誤り検出を担う。
【００３５】
[0046]図４は、デバイス間通信システム４００の図である。デバイス間通信システム４００は、複数のワイヤレスデバイス４０４、４０６、４０８、４１０、４１２、４１４を含む。デバイス間通信システム４００は、例えば、ワイヤレスワイドエリアネットワーク（ＷＷＡＮ）のような、セルラ通信システムと重複し得る。ワイヤレスデバイス４０４、４０６、４０８、４１０、４１２、４１４のいくつかは、サービングセル４２０ａのＤＬ／ＵＬ  ＷＷＡＮスペクトル、近傍セル４２０ｂのＤＬ／ＵＬ  ＷＷＡＮスペクトル、サービングセル４２０ａのＤＬ／ＵＬ  ＷＷＡＮスペクトル（例えば、デバイス間送信）および近傍セル４２０ｂのＤＬ／ＵＬ  ＷＷＡＮスペクトル（例えば、デバイス間受信）の両方、ネットワークによって用られるが基地局４０２ａ、４０２ｂから出てくる（emanating from）のではない周波数バンド、を使用して、デバイス間通信（例えば、ＰｒｏＳｅ通信）において一緒に通信し得、いくつかは、基地局４０２ａ、４０２ｂと通信し得る。例えば、図４に示されるように、ワイヤレスデバイス４０８、４１０は、いかなるセルのカバレッジの外で、デバイス間通信状態にある。一態様において、ワイヤレスデバイス４０４、４０６は、シングルセル（例えば、サービングセル４２０ａ）のカバレッジにおいて、デバイス間通信状態にある。ワイヤレスデバイス４０６、４１０は、部分的なカバレッジにおいてデバイス間通信状態にある（例えば、ワイヤレスデバイス４０６は、サービングセル４２０ａのカバレッジの中にあり、ワイヤレスデバイス４１０は、いかなるセルのカバレッジの中にもない）。別の態様において、ワイヤレスデバイス４１２、４１４は、マルチセルカバレッジの状況において、デバイス間通信状態にある。例えば、ワイヤレスデバイス４１２は、サービングセル４２０ａ内にあり、ワイヤレスデバイス４１４は、近傍セル４２０ｂ内にある。加えて、ワイヤレスデバイス４０４、４０６、４１２はまた、基地局４０２ａと通信していて、ワイヤレスデバイス４１４は、基地局４０２ｂと通信している。
【００３６】
[0047]以下に論述される例となる方法および装置は、例えば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づいたＷｉ−Ｆｉに基づいたワイヤレスデバイス間通信システムのような、多様なワイヤレスデバイス間通信システムのいずれにも適用可能である。論述を簡略化するために、例となる方法および装置は、ＬＴＥのコンテキスト内で論述される。しかしながら、当業者は、例となる方法および装置が、多様な他のワイヤレスデバイス間通信システムにより一般に適用可能であることを理解するであろう。
【００３７】
[0048]従来のデバイス間通信プロシージャは、キャンプさせられた（camped）バンド／周波数上でデバイス間送信が行われるように、定義され、一方で、ＬＴＥ−Ｄコード（LTE-D Code）受信（Ｒｘ）は、同じ周波数上で行われることができる。しかしながら、この従来のアプローチに関して、ある特定の制限がある。例えば、ネットワークオペレータ（例えば、ＡＴ＆Ｔ、Ｓｐｒｉｎｔ、Ｖｅｒｉｚｏｎ、等）は、たとえ周波数バンドが、２０個の周波数で展開されているとしても、周波数バンドの１つの周波数上のみで、ＬＴＥ−Ｄを展開し得る。サービングセルにおける全てのワイヤレスデバイスが、ＬＴＥ−Ｄ送信および／または受信（Ｔｘ／Ｒｘ）を行うためにその周波数上にキャンプする場合、セル過負荷（overload）状況が生じ得る。それ故、本開示は、ワイヤレスデバイスが、近傍セルのＤ２Ｄ周波数バンド上でＬＴＥ−Ｄ発見（discovery）を行うことを希望するときの、またはその周波数バンドがネットワークカバレッジの中にないときでさえの、状況について提供する。このアプローチは、ネットワークオペレータが、まばらに展開された、バンドにおいてＬＴＥ−Ｄを展開したとき、特に有用であり得る。
【００３８】
[0049]図５は、インフラ周波数（infra-frequency）通信プロトコルを使用しない可能性があるデバイス間通信システム５００の図である。例えば、ワイヤレスデバイス５０４、５０６のうちの１つまたは複数は、発見リソース５１４を使用して、デバイス間（Ｄ２Ｄ）周波数バンド５１２のほんの一部分（a small fraction of）上で、ＬＴＥ−Ｄ発見５１８を行うことができる。一態様において、ワイヤレスデバイス５０４、５０６は、Ｄ２Ｄ周波数バンド５１２とは異なり得る周波数バンドを使用して、基地局５０２とのＬＴＥボイスおよびデータトラフィック５０８を実施する。ＬＴＥボイスおよびデータトラフィック５０８についてのタイミングおよびリソース情報が、基地局５０２から、ワイヤレスデバイス５０４、５０６によって、受信され得る。例えば、ＬＴＥボイスおよびデータトラフィック５０８は、周波数バンド３を使用し得、ワイヤレスデバイス５０４、５０６間でのデバイス間通信は、周波数バンド４１を使用し得る。しかしながら、いずれの他の周波数バンドも、本開示の範囲から逸脱することなく使用され得る。図５に例示される例において、ワイヤレスデバイス５０４、５０６の各々は、Ｐｒｏｓｅサーバ（Prose Server）５１６から、Ｄ２Ｄ周波数バンドに関連するオーバーザトップ（ＯＴＴ）発見リソース情報５１０を受信し得る（例えば、オープンモバイルアライアンスデバイス管理（open mobile alliance device management））。ＯＴＴ発見リソース情報５１０は、Ｄ２Ｄ周波数バンド５１２を使用して、デバイス間通信における使用のためのリソース５１４を発見することに必要な、リソースおよびタイミングオフセットに関連付けられた情報を含み得る。ワイヤレスデバイス５０４、５０６の各々は、次いで、ホーム地上波公共移動通信ネットワーク（ＰＬＭＮ）からチューンアウェイ（tune away）し得（例えば、基地局５０２からチューンアウェイする）、Ｄ２Ｄ周波数バンド５１２を使用して、デバイス間通信を実施することより前に、ＬＴＥ−Ｄ発見プロシージャ５１８を始め得る。
【００３９】
[0050]図６は、インフラ周波数通信プロトコルを使用し得るデバイス間通信システム６００の図である。例えば、ワイヤレスデバイス６０４、６０６のうちの１つまたは複数は、発見リソース６１４を使用して、Ｄ２Ｄ周波数バンド６１２のほんの一部分上で、ＬＴＥ−Ｄ発見６２０を行うことができる。一態様において、Ｄ２Ｄ周波数バンド６１２はまた、ＷＷＡＮトラフィックに関して、近傍基地局６１８によって、用いられる周波数バンドであり得る。一態様において、ワイヤレスデバイス６０４、６０６は、Ｄ２Ｄ周波数バンド６１２とは異なり得る周波数バンドを使用して、サービング基地局６０２とのＬＴＥボイスおよびデータトラフィック６０８を実施する。ＬＴＥボイスおよびデータトラフィック６０８についての発見リソース情報６１０（例えば、タイミングおよびリソース情報）は、サービング基地局６０２から、ワイヤレスデバイス６０４、６０６によって、受信され得る。例えば、ＬＴＥボイスおよびデータトラフィック６０８は、周波数バンド３を使用し得、ワイヤレスデバイス６０４、６０６間のデバイス間通信は、周波数バンド４１を使用し得る。しかしながら、いずれの他の周波数バンドも、本開示の範囲から逸脱することなく使用され得る。一態様において、発見リソース情報６１０は、近傍基地局６１８からワイヤレスデバイス６０４、６０６へブロードキャストされ得る。例えば、発見リソース情報６１０は、システム情報ブロック（ＳＩＢ）１６においてブロードキャストされ得る。近傍基地局６１８によって提供されたＳＩＢ１６は、Ｐｒｏｓｅサーバ６１６によって送られたＯＴＴ構成６２２を上書き（overwrite）し得る。ワイヤレスデバイス６０４、６０６は、近傍基地局６１８（例えば、ＴＤＤ基地局）からＳＩＢ１６において提供される発見リソース情報６１０（例えば、リソースおよび／またはタイミングオフセット情報）を使用して、Ｄ２Ｄ周波数バンド６１２において、発見６２０を行うために、ホームＦＤＤ  ＰＬＭＮからチューンアウェイし得る。
【００４０】
[0051]図７は、ワイヤレスデバイスが、ＬＴＥ−Ｄ発見動作の様々なモデル間で動的に切り替えることを可能にするデバイス間通信システム７００の図である。デバイス間通信システム７００は、サービングセル７０２ａにおいてキャンプさせられ、およびサービング基地局７０４ａとのＬＴＥボイスおよびデータ通信７１０ａを行う、複数のワイヤレスデバイス７０６ａ、７０６ｂを含み得る。加えて、ワイヤレスデバイス７０６ａ、７０６ｂは、「モデルＡ」および「モデルＢ／Ｃ」に関して例示されるいくつかのモデルに基づいて、デバイス間通信７１２ａ、７１２ｂ、７１２ｃを行い得る。
【００４１】
[0052]図７をなお参照すると、ワイヤレスデバイス７０６ａ、７０６ｂの各々は、ネットワークへの接続のためのサービングセル７０２ａを決定７２０（例えば、選択）し得、サービング基地局７０４ａを介して、ネットワークと通信し得る。一態様において、ネットワークは、ＬＴＥワイヤレス通信ネットワークであり得る。デバイス間通信を行うために、ワイヤレスデバイス７０６ａ、７０６ｂのうちの１つまたは複数は、デバイス間通信を行う際の使用のための近傍セル７０２ｂ上の周波数バンドについての探索を行い得る。例えば、周波数バンドは、図５および６を参照して説明されるＤ２Ｄ周波数バンドであり得る。
【００４２】
[0053]図８は、図７において例示されるワイヤレスデバイス７０６ａ、７０６によって行われ得る周波数間の近傍セル探索／検出プロシージャ８００の図である。例えば、初期探索が、周波数間近傍セル検出をもたらさない場合、ワイヤレスデバイス７０６ａ、７０６ｂは、複数の探索の失敗の事例において、Δ１秒だけ時間間隔Ｔ＿ｄｅｔｅｃｔを増やし得る。しかしながら、ワイヤレスデバイス７０６ａ、７０６ｂは、「モデルＡ」が、サービングセル７０２ａの周波数バンドを使用してデバイス間通信について構成される場合、時間期間Ｔ＿ｄｅｔｅｃｔを増やさない可能性がある。
【００４３】
[0054]図７を再び参照すると、Ｄ２Ｄ周波数バンドが近傍セル７０２ｂ上で検出されない場合、ワイヤレスデバイス７０６ａ、７０６ｂは、図７における「モデルＡ」に関して例示されるように、周波数バンドに関連付けられた予め構成されたリソースを使用して、デバイス間通信７１２ａを行い得る。例えば、ワイヤレスデバイス７０６ａ、７０６は、所定の数の探索の後に、ネットワーク接続が検出されないとき、近傍セル７０２ｂ上の周波数バンドについての探索が失敗したことを決定７２０し得る。
【００４４】
[0055]「モデルＡ」をなお参照すると、ワイヤレスデバイス７０６ａ、７０６ｂは、近傍セル上の周波数バンドについての探索が失敗する場合、ネットワーク接続が近傍セル７０２ｂと前に確立されたかどうかを決定し７２０得る。この状況において、ワイヤレスデバイス７０６ａ、７０６ｂは、依然として、信頼レベルメトリックに基づいて、近傍セル上の周波数バンドについての探索が失敗するとき、周波数バンドに関連付けられた「モデルＡ」の予め構成されたリソースを使用して、デバイス間通信７１２ａを行い得る。
【００４５】
[0056]例えば、信頼レベルメトリックは、１）過去の決定（例えば、Ｄ２Ｄ周波数バンド／eutra絶対無線周波数チャネル番号（eutra absolute radio frequency channel number）における近傍セル７０２ｂの検出をもたらした現在キャンプさせられているサービングセル７０２ａにおけるＫ回の探索の中からのＮ回）、またはしきい値を超えるそのような決定のフィルタリングされた値（例えば、無限インパルス応答フィルタ値（infinite impulse response filter value））、２）近傍セル７０２ｂが検出されたときの様々なセルサイトからの信号強度、および／または３）それ上で（１つまたは複数の）ワイヤレスデバイス７０６ａ、７０６ｂがキャンプさせられているサービングセル７０２ａのサイズを考慮し得る。一態様において、過去の決定は、Ｗｉ−Ｆｉ、ベーシックサービスセット識別（ＢＳＳＩＤ）、またはセルラサイト（例えば、ＣＤＭＡ、ＥＶＤＯ（Evolution Data Optimized）、ＧＳＭ（登録商標）、ＵＭＴＳ、ＴＤＳＣＤＭＡ、またはＬＴＥ）を含むセルサイトを考慮し得る。
【００４６】
[0057]「モデルＡ」をなお参照すると、近傍セル７０２ｂ上の周波数バンドについての決定７２０（例えば、探索）が失敗するとき、デバイス間通信７１２ａは、予め構成されたオフセットタイミングを使用して、行われ得る。ワイヤレスデバイス７０６ａ、７０６ｂの各々は、図８において例示されるように、Ｐｒｏｓｅサーバ８１６から、Ｄ２Ｄ周波数バンドに関連するＯＴＴ発見リソース情報を受信し得る。ＯＴＴ発見リソース情報は、Ｄ２Ｄ周波数バンドを使用して、デバイス間通信７１２ａにおける使用のためのリソースを発見することに必要な、リソースおよびタイミングオフセットに関連付けられた情報を含み得る。発見リソース情報は、代替的または追加的に、ワイヤレスデバイス７０６ａ、７０６ｂの加入者識別モジュール（ＳＩＭ：subscriber identity module）カードにおいて、予め構成され得る。ワイヤレスデバイス７０６ａ、７０６ｂの各々は、サービングセル７０２ａのＰＬＭＮからチューンアウェイし得、Ｄ２Ｄ周波数バンドを使用して、デバイス間通信７１２ａより前に、決定７２０（例えば、ＬＴＥ−Ｄ発見プロシージャ）を始め得る。例えば、デバイス間送信およびデバイス間受信の両方は、「モデルＡ」におけるＤ２Ｄ周波数バンド上で、行われ得る。
【００４７】
[0058]「モデルＡ」をさらに参照して、デバイス間通信７１２ａを行うためのＤ２Ｄ周波数バンドにおいて、利用可能な周波数が１つより多くある場合、ワイヤレスデバイス７０６ａ、７０６ｂは、周波数の予め構成された優先度に基づいておよび／または前の使用に基づいて、周波数のリストからデバイス間通信７１２ａにおける使用のための周波数を選択し得る。「モデルＡ」を使用してデバイス間通信を行う一方で、ワイヤレスデバイス７０６ａ、７０６ｂは、依然として、近傍セル上でＤ２Ｄ周波数バンドについての探索を周期的に行い得る。
【００４８】
[0059]今度は、図７における「モデルＢ／Ｃ」を参照すると、Ｄ２Ｄ周波数バンドが近傍セル７０２ｂ上で検出される場合、近傍セル７０２ｂ上のＤ２Ｄ周波数バンドについての決定７２０（例えば、探索）が成功であるとき、ワイヤレスデバイス７０６ａ、７０６ｂは、近傍セル７０２ｂの周波数バンドに関連付けられたリソースを使用して、デバイス間通信７１２ｂ、７１２ｃを行い得る。一態様において、ワイヤレスデバイス７０６ａ，７０６ｂは、ネットワーク接続が、所定の数の決定７２０（例えば、探索）内で検出されたとき、近傍セル７０２ｂ上の周波数バンドについての探索が成功であることを決定７２０し得る。その上、Ｄ２Ｄ周波数バンドは、１つより多くの近傍セル上で検出され得る。この事例において、ワイヤレスデバイス７０６ａ、７０６ｂは、Ｄ２Ｄ周波数バンドがそれ上で検出される１つまたはの近傍セルのＤ２Ｄ周波数バンドと関連付けられたリソースを使用して、デバイス間通信７１２ｂ、７１２ｃを行い得る。
【００４９】
[0060]一態様において、デバイス間通信７１２ｂ、７１２ｃは、近傍セル７０２ｂの周波数バンドに関連付けられたリソースを使用して、「モデルＢ／Ｃ」に従って、行われる。近傍セル７０２ｂの周波数バンドに関連付けられたリソースに関連する情報は、近傍基地局７０４ｂからのオーバヘッドメッセージにおけるＳＩＢ１９  ８１４ブロードキャストにおいて、受信され得る。ＳＩＢ１９  ８１４が、ここでＳＩＢ１９として説明される一方で、別の（１つまたは複数の）ＳＩＢは、本開示から逸脱することなく、情報を運び得る。
【００５０】
[0061]図７における「モデルＢ」を参照すると、ワイヤレスデバイス７０６ａ、７０６ｂは、近傍セルの周波数バンドを使用して、デバイス間送信またはデバイス間受信７１２ｂのうちの１つまたは複数を行い得、近傍セル７０２のＤ２Ｄ周波数バンドを使用して、デバイス間送信またはデバイス間受信７１２ｂのうちのもう一方の１つを行い得る。
【００５１】
[0062]図７における「モデルＣ」を参照すると、ワイヤレスデバイス７０６ａ、７０６ｂは、サービングセル７０２ａのＤ２Ｄ周波数バンドを使用して、デバイス間送信７１２ｃを行い得、近傍セル７０２ｂのＤ２Ｄ周波数バンドを使用して、デバイス間受信７１２ｂを行い得る。代替的に、デバイス間送信は、近傍セル７０２ｂのＤ２Ｄ周波数バンドを使用して、行われ得、デバイス間受信は、サービングセル７０２ａのＤ２Ｄ周波数バンドを使用して、行われ得る。いずれの事例においても、ワイヤレスデバイス７０６ａ、７０６ｂは、近傍基地局７０４ｂからのＳＩＢ１９  ８１４において受信された優先度情報に基づいて、近傍周波数を選択することによって、近傍セル７０２ｂのＤ２Ｄ周波数バンドに関連付けられたリソースを使用して、デバイス間通信７１２ｂおよび／または７１２ｃを行い得る。
【００５２】
[0063]一旦、近傍セル７０２ｂ上でＤ２Ｄ周波数バンドが検出されると、「モデルＢ／Ｃ」を使用して、デバイス間通信を行う一方で、ワイヤレスデバイス７０６ａ、７０６ｂは、システム情報に関連付けられたタグ（例えば、ＳｙｓｔｅｍＩｎｆｏＶａｌｕｅＴａｇ）が変更されたかどうかを決定するために、ＳＩＢ１、ＳＩＢ２、および／またはＳＩＢ１９の復号（decoding）をスケジューリングし得る。タグが変更されたとき、ワイヤレスデバイス７０６ａ、７０６ｂは、１つまたは複数のＳＩＢ（例えば、ＳＩＢ１、ＳＩＢ２、および／またはＳＩＢ１９）を復号する必要があり得る。しかしながら、「モデルＢ／Ｃ」を使用して、デバイス間通信を行う際に、ワイヤレスデバイス７０６ａ、７０６ｂは、ＳＩＢ１、ＳＩＢ２、および／またはＳＩＢ１９が復号されることができない場合を除いて、再び、近傍セル７０２ｂ上でＤ２Ｄ周波数バンドについての探索を行うことが必要とされ（required）ない可能性がある。
【００５３】
[0064]「モデルＡ」、「モデルＢ」、または「モデルＣ」のいずれかにおいて、ワイヤレスデバイス７０６ａ、７０６ｂは、デバイス間通信が、近傍セル７０２ｂの探索が、それについて、実施されている、Ｄ２Ｄ周波数バンド上で許されないことを決定し得る。この状況において、ワイヤレスデバイス７０６ａ、７０６ｂは、バッテリ電力を節約するために探索を停止し得る。
【００５４】
[0065]一態様において、ワイヤレスデバイス７０６ａ、７０６ｂは、「モデルＡ」と「モデルＢ」と「モデルＣ」との間で、優先順位付け（prioritization）を決定するように構成され得る。例えば、ワイヤレスデバイス７０６ａ、７０６ｂは、互いに関して、「モデルＡ」、「モデルＢ」、および「モデルＣ」を優先順位づけするポリシーで構成され得る。このポリシーは、動作の適切なモデルを選択するための先行順序づけを示し得る（例えば、ポリシーに従って、「モデルＡ」は、可能な場合、「モデルＢ」の前に選択され、「モデルＢ」は、「モデルＣ」の前に選択される）。
【００５５】
[0066]このように、本開示は、ワイヤレスデバイスが、近傍セルのＤ２Ｄ周波数バンド上でＬＴＥ−Ｄ発見を行うことを希望するときの、または周波数バンドがネットワークカバレッジの中にないときでさえの、状況について提供する。これは、ネットワークオペレータが、まばらに展開された、バンドにおいてＬＴＥ−Ｄを展開したとき、特に有用であり得る。
【００５６】
[0067]図９は、図７において例示される「モデルＡ」または「モデルＢ／Ｃ」のうちの１つを使用して、デバイス間通信を行うかどうかを決定するためのプロシージャ９００の図である。例えば、プロシージャ９００は、Ｄ２Ｄ周波数バンドについての予め構成されたリソースプール、または、近傍基地局から受信されたＳＩＢ１９によって構成されたリソースプールを使用して、周波数間デバイス間送信／受信（Ｔｘ／Ｒｘ）を行うかどうかを決定し得る。これは、Ｄ２Ｄ周波数バンドを使用する近傍セルの不在（an absence of）に基づいて、「モデルＢ／Ｃ」のうちの１つと「モデルＡ」との間での動的切り替えを可能にし得る。例えば、複数の探索の失敗の際、近傍セル物理セルＩＤ（ＰＣＩ）が何も、Ｄ２Ｄ周波数バンド上で検出されないとき、ワイヤレスデバイス７０６ａ、７０６ｂは、ＳＩＢ１９を介して受信されたプールの代わりに、予め構成されたリソースプールを使用し得る（すなわち、「モデルＢ／Ｃ」のうちの１つから「モデルＡ」に切り替える）。代替的に、近傍セルＰＣＩがＤ２Ｄ周波数バンド上で検出されるとき、ワイヤレスデバイス７０６ａ、７０６ｂは、予め構成されたリソースプールの代わりに、近傍基地局からＳＩＢ１９を介して受信されたリソースプールを使用し得る。「モデルＢ／Ｃ」のうちの１つの使用は、近傍セル上のＳＩＢ１９リソース利用可能性に付随し（contingent on）得る。
【００５７】
[0068]図９をなお参照すると、いくつかの実例において、ＰＣＩは、検出され得るが、ワイヤレスデバイス７０６ａ、７０６ｂによるマスタ情報ブロック（ＭＩＢ）／ＳＩＢ１の復号は失敗し得る。１つの実例において、ＭＩＢ／ＳＩＢ１がワイヤレスデバイス７０６ａ、７０６ｂに、「モデルＡ」を使用するデバイス間通信をディセーブルさせることができるかに関わらず、ワイヤレスデバイス７０６ａ、７０６ｂが、ＰＣＩを検出するとき。代替的に、ある特定の回数、ＰＣＩ検出が成功して、ＭＩＢ／ＳＩＢ１の復号が失敗する場合、「モデルＡ」を使用して、デバイス間通信が許される、代替的な状況がある可能性がある。そのような事例において、見込みのあるセルのサイト（potential cell sites）のフィンガープリントされた（fingerprinted）データが、所与のサービングセルの周りで利用可能である場合、ワイヤレスデバイス７０６ａ、７０６ｂは、予め構成されたリソースと共に通常使用されるものとは異なるＤ２Ｄ周波数バンドの代わりに、「モデルＡ」を使用するときのサービングセル周波数バンドを使用することを選び得る。
【００５８】
[0069]図１０Ａ〜１０Ｃは、様々な態様に従った、ワイヤレス通信の方法のフローチャート１１００である。方法は、ワイヤレスデバイス７０６ａ、７０６ｂのような、ワイヤレスデバイスによって、行われ得る。破線で示されている動作は、本開示の様々な態様のための動作を表すことは理解されるべきである。
【００５９】
[0070]動作１１０２において、ワイヤレスデバイスは、ネットワークへの接続のためのサービングセルを選択する。例えば、図７を参照すると、ワイヤレスデバイス７０６ａ、７０６ｂの各々は、ネットワークへの接続のためのサービングセル７０２ａを決定７２０（例えば、選択）し得、そのネットワークを使用して、サービング基地局７０４ａと通信し得る。
【００６０】
[0071]動作１１０４において、ワイヤレスデバイスは、デバイス間通信における使用のための近傍セル上の周波数バンドについての探索を行う。例えば、図７を参照すると、ワイヤレスデバイス７０６ａ、７０６ｂのうちの１つまたは複数は、デバイス間通信を行う際の使用のための近傍セル７０２ｂ上の周波数バンドについての探索を行い得る。例えば、周波数バンドは、図８および９を参照して説明されるＤ２Ｄ周波数バンドであり得る。
【００６１】
[0072]動作１１０６において、ワイヤレスデバイスは、近傍セル上の周波数バンドについての探索が失敗するとき、周波数バンドに関連付けられた予め構成されたリソースを使用して、デバイス間通信を行う。例えば、図７を参照すると、Ｄ２Ｄ周波数バンドが近傍セル７０２ｂ上で検出されない場合、ワイヤレスデバイス７０６ａ、７０６ｂは、「モデルＡ」に関して例示されるように、Ｄ２Ｄ周波数バンドに関連付けられた予め構成されたリソースを使用して、デバイス間通信７１２ａを行い得る。
【００６２】
[0073]動作１１０８において、ワイヤレスデバイスは、近傍セル上の周波数バンドについての探索が成功であるとき、近傍セルの周波数バンドに関連付けられたリソースを使用して、デバイス間通信を行う。例えば、図７を参照すると、ワイヤレスデバイス７０６ａ、７０６ｂは、近傍セル７０２ｂの周波数バンドを使用して、デバイス間送信７１２ｂを行い得、近傍セル７０２ｂのＤ２Ｄ周波数バンドを使用して、デバイス間受信７１２ｂを行い得る。
【００６３】
[0074]動作１１１０において、ワイヤレスデバイスは、近傍セルから受信されたシステム情報ブロックを使用して、近傍セルの周波数バンドに関連付けられたリソースを決定し、ここにおいて、システム情報ブロックは、近傍セルからのオーバヘッドメッセージにおいて受信される。例えば、図７を参照すると、デバイス間通信７１２ｂ、７１２ｃは、近傍セル７０２ｂから受信されたＳＩＢ１９  ８１４に基づいて、近傍セル７０２ｂの周波数バンドに関連付けられたリソースを使用して、「モデルＢ／Ｃ」に従って、行われる。一態様において、ＳＩＢ１９  ８１４は、近傍基地局７０４ｂからのオーバヘッドメッセージにおいて、受信され得る。
【００６４】
[0075]動作１１１２において、ワイヤレスデバイスは、近傍セルの周波数バンドを使用して、デバイス間送信を行う。例えば、図７において例示される「モデルＢ」を参照すると、ワイヤレスデバイス７０６ａ、７０６ｂは、「モデルＢ／Ｃ」に関して例示されるように、近傍セルの周波数バンドを使用して、デバイス間送信またはデバイス間受信７１２ｂのうちの１つまたは複数を行い得る。
【００６５】
[0076]図１０Ｂにおいて示されるように、動作１１１４において、ワイヤレスデバイスは、近傍セルの周波数バンドを使用して、デバイス間受信を行う。例えば、図７において例示される「モデルＢ」を参照すると、ワイヤレスデバイス７０６ａ、７０６ｂは、近傍セル７０２ｂのＤ２Ｄ周波数バンドを使用して、デバイス間送信またはデバイス間受信７１２ｂのうちのもう一方の１つを行い得る。
【００６６】
[0077]動作１１１６において、ワイヤレスデバイスは、サービングセルの周波数バンドを使用して、デバイス間送信を行う。例えば、図７において例示される「モデルＣ」を参照すると、ワイヤレスデバイス７０６ａ、７０６ｂは、サービングセル７０２ａのＤ２Ｄ周波数バンドを使用して、デバイス間送信７１２ｃを行い得、近傍セル７０２ｂのＤ２Ｄ周波数バンドを使用して、デバイス間受信７１２ｂを行い得る。代替的に、デバイス間送信は、近傍セル７０２ｂのＤ２Ｄ周波数バンドを使用して、行われ得、デバイス間受信は、サービングセル７０２ａのＤ２Ｄ周波数バンドを使用して、行われ得る。いずれの事例においても、ワイヤレスデバイス７０６ａ、７０６ｂは、近傍基地局７０４ｂから受信されたＳＩＢ１９  ８１４において受信された優先度情報に基づいて、近傍周波数を選択することによって、近傍セル７０２ｂのＤ２Ｄ周波数バンドに関連付けられたリソースを使用して、デバイス間通信７１２ｂおよび／または７１２ｃを行い得る。
【００６７】
[0078]動作１１１８において、ワイヤレスデバイスは、近傍セルの周波数バンドを使用して、デバイス間受信を行う。例えば、図７において例示される「モデルＣ」を参照すると、ワイヤレスデバイス７０６ａ、７０６ｂは、サービングセル７０２ａのＤ２Ｄ周波数バンドを使用して、デバイス間送信７１２ｃを行い得、近傍セル７０２ｂのＤ２Ｄ周波数バンドを使用して、デバイス間受信７１２ｂを行い得る。代替的に、デバイス間送信は、近傍セル７０２ｂのＤ２Ｄ周波数バンドを使用して、行われ得、デバイス間受信は、サービングセル７０２ａのＤ２Ｄ周波数バンドを使用して、行われ得る。いずれの事例においても、ワイヤレスデバイス７０６ａ、７０６ｂは、近傍基地局７０４ｂから受信されたＳＩＢ１９  ８１４において受信された優先度情報に基づいて、近傍周波数を選択することによって、近傍セル７０２ｂのＤ２Ｄ周波数バンドに関連付けられたリソースを使用して、デバイス間通信７１２ｂおよび／または７１２ｃを行い得る。
【００６８】
[0079]動作１１２０において、ワイヤレスデバイスは、所定の数の探索の後に、ネットワーク接続が検出されないとき、近傍セル上の周波数バンドについての探索が失敗したことを決定する。例えば、図７を参照すると、デバイス間通信を行うために、ワイヤレスデバイス７０６ａ、７０６ｂのうちの１つまたは複数は、デバイス間通信を行う際の使用のための近傍セル７０２ｂ上の周波数バンドについての探索を行い得る。例えば、周波数バンドは、図５および６を参照して説明されるＤ２Ｄ周波数バンドであり得る。例えば、図８を参照すると、初期探索が、周波数間近傍セル検出をもたらさない場合、ワイヤレスデバイス７０６ａ、７０６ｂは、複数の探索の失敗の事例において、Δ１秒だけ時間間隔Ｔ＿ｄｅｔｅｃｔを増やし得る。
【００６９】
[0080]動作１１２２において、ワイヤレスデバイスは、近傍セル上の周波数バンドについての探索が失敗する場合、ネットワーク接続が近傍セルと前に確立されたかどうかを決定する。例えば、図７を参照すると、ワイヤレスデバイス７０６ａ、７０６ｂは、近傍セル上の周波数バンドについての探索が失敗する場合、ネットワーク接続が近傍セル７０２ｂと前に確立されたかどうかを決定し７２０得る。この状況において、ワイヤレスデバイス７０６ａ、７０６ｂは、信頼レベルメトリックに基づいて、近傍セル上の周波数バンドについての探索が失敗するとき、周波数バンドに関連付けられた「モデルＡ」の予め構成されたリソースを使用して、デバイス間通信７１２ａを行い得る。例えば、信頼レベルメトリックは、１）過去の決定（例えば、予め構成されたバンド／eutra絶対無線周波数チャネル番号（eutra absolute radio frequency channel number）における近傍セル７０２ｂの検出をもたらした現在キャンプさせられているサービングセル７０２ａにおけるＫ回の探索の中からのＮ回）またはしきい値を超えるそのような決定のフィルタリングされた値（例えば、無限インパルス応答フィルタ値）、２）近傍セル７０２ｂが検出されたときの様々なセルサイトからの信号強度、および／または３）それ上で（１つまたは複数の）ワイヤレスデバイス７０６ａ、７０６ｂがキャンプさせられているサービングセル７０２ａのサイズを考慮し得る。一態様において、過去の決定は、Ｗｉ−Ｆｉ、ベーシックサービスセット識別（ＢＳＳＩＤ）またはセルラサイト（例えば、ＣＤＭＡ、ＥＶＤＯ（Evolution Data Optimized）、ＧＳＭ、ＵＭＴＳ、ＴＤＳＣＤＭＡ、またはＬＴＥ）を含むセルサイトを考慮し得る。
【００７０】
[0081]動作１１２４において、ワイヤレスデバイスは、信頼メトリック（a confidence metric）に基づいて、近傍セル上の周波数バンドについての探索が失敗するとき、周波数バンドに関連付けられた予め構成されたリソースを使用して、デバイス間通信を行う。例えば、図７を参照すると、ワイヤレスデバイス７０６ａ、７０６ｂは、近傍セル上の周波数バンドについての探索が失敗する場合、ネットワーク接続が近傍セル７０２ｂと前に確立されたかどうかを決定し７２０得る。この状況において、ワイヤレスデバイス７０６ａ、７０６ｂは、信頼レベルメトリックに基づいて、近傍セル上の周波数バンドについての探索が失敗するとき、周波数バンドに関連付けられた「モデルＡ」の予め構成されたリソースを使用して、デバイス間通信７１２ａを行い得る。例えば、信頼レベルメトリックは、１）過去の決定（例えば、予め構成されたバンド／eutra絶対無線周波数チャネル番号（eutra absolute radio frequency channel number）における近傍セル７０２ｂの検出をもたらした現在キャンプさせられているサービングセル７０２ａにおけるＫ回の探索の中からのＮ回）またはしきい値を超えるそのような決定のフィルタリングされた値（例えば、無限インパルス応答フィルタ値）、２）近傍セル７０２ｂが検出されたときの様々なセルサイトからの信号強度、および／または３）それ上で（１つまたは複数の）ワイヤレスデバイス７０６ａ、７０６ｂがキャンプさせられているサービングセル７０２ａのサイズを考慮し得る。一態様において、過去の決定は、Ｗｉ−Ｆｉ、ベーシックサービスセット識別（ＢＳＳＩＤ）またはセルラサイト（例えば、ＣＤＭＡ、ＥＶＤＯ（Evolution Data Optimized）、ＧＳＭ、ＵＭＴＳ、ＴＤＳＣＤＭＡ、またはＬＴＥ）を含むセルサイトを考慮し得る。
【００７１】
[0082]図１０Ｃにおいて示されるように、動作１１２６において、ワイヤレスデバイスは、デバイス間通信が周波数バンド上で許されないことを決定する。例えば、図７を参照すると、「モデルＡ」、「モデルＢ」、または「モデルＣ」のいずれかにおいて、ワイヤレスデバイス７０６ａ、７０６ｂは、デバイス間通信が、近傍セル７０２ｂの探索がそれについて実施されているＤ２Ｄ周波数バンド上で許されないことを決定し得る。この状況において、ワイヤレスデバイス７０６ａ、７０６ｂは、バッテリ電力を節約するために探索を停止し得る。
【００７２】
[0083]動作１１２８において、ワイヤレスデバイスは、デバイス間通信が周波数バンド上で許されないとき、探索を停止する。例えば、図７を参照すると、「モデルＡ」、「モデルＢ」、または「モデルＣ」のいずれかにおいて、ワイヤレスデバイス７０６ａ、７０６ｂは、デバイス間通信が、近傍セル７０２ｂの探索がそれについて実施されているＤ２Ｄ周波数バンド上で許されないことを決定し得る。この状況において、ワイヤレスデバイス７０６ａ、７０６ｂは、バッテリ電力を節約するために探索を停止し得る。
【００７３】
[0084]図１１は、例となる装置１２０２における異なる手段／コンポーネント間でのデータフローを例示する概念的なデータフロー図１２００である。装置は、図７において例示されるワイヤレスデバイス７０６ａ、７０６ｂのうちの１つのような、ワイヤレスデバイスであり得る。装置は、受信コンポーネント１２０４、決定コンポーネント１２０６、探索コンポーネント１２０８、および選択コンポーネント１２１０、および送信コンポーネント１２１２を含む。
【００７４】
[0085]選択コンポーネント１２１０は、ネットワークへの接続のためのサービングセルを選択する。例えば、選択コンポーネント１２１０は、ネットワークへの接続のためのサービングセルを選択し得、ネットワークを使用して、サービング基地局１２５０と通信し得る。
【００７５】
[0086]探索コンポーネント１２０８は、デバイス間通信における使用のための近傍セル上の周波数バンドについての探索を行う。例えば、探索コンポーネント１２０８は、デバイス間通信を行う際の使用のための近傍セル上の周波数バンドについて探索を行い得る。例えば、周波数バンドは、図５および６を参照して説明されるＤ２Ｄ周波数バンドであり得る。
【００７６】
[0087]送信コンポーネント１２１２は、探索コンポーネント１２０８が近傍セル上の周波数バンドを検出することに失敗するとき、周波数バンドに関連付けられた予め構成されたリソースを使用して、デバイス間通信を行い、信号が探索コンポーネント１２０８から送信コンポーネント１２１２に送られる。例えば、Ｄ２Ｄ周波数バンドが近傍セル上で検出されない場合、送信コンポーネント１２１２は、図７における「モデルＡ」に関して例示されるように、周波数バンドに関連付けられた予め構成されたリソースを使用して、ワイヤレスデバイス１２７０とデバイス間通信を行い得る。
【００７７】
[0088]代替的に、送信コンポーネント１２１２は、探索コンポーネント１２０８が、近傍セル上の周波数バンドについて検出するとき、近傍セルの周波数バンドに関連付けられたリソースを使用して、デバイス間通信を行い、信号が探索コンポーネント１２０８から送信コンポーネント１２１２に送られる。
【００７８】
[0089]決定コンポーネント１２０６は、近傍セル基地局１２６０から受信されたＳＩＢを使用して、近傍セルの周波数バンドに関連付けられたリソースを決定する。例えば、受信コンポーネント１２０４は、近傍セル基地局１２６０からのオーバヘッドメッセージにおいて、ＳＩＢ１９を受信し得る。
【００７９】
[0090]送信コンポーネント１２１２は、近傍セルまたはサービングセルの周波数バンドを使用して、デバイス間送信を行い得る。
【００８０】
[0091]受信コンポーネント１２０４は、近傍セルまたはサービングセルの周波数バンドを使用して、デバイス間受信を行い得る。
【００８１】
[0092]決定コンポーネント１２０６は、所定の数の探索の後に、ネットワーク接続が検出されないとき、近傍セル上の周波数バンドについての探索が失敗したことを決定する。
【００８２】
[0093]決定コンポーネント１２０６は、近傍セル上の周波数バンドについての探索が失敗する場合、ネットワーク接続が近傍セルと前に確立されたかどうかを決定する。例えば、決定コンポーネント１２０６は、Ｗｉ−Ｆｉ、ベーシックサービスセット識別（ＢＳＳＩＤ）またはセルラサイト（例えば、ＣＤＭＡ、ＥＶＤＯ（Evolution Data Optimized）、ＧＳＭ、ＵＭＴＳ、ＴＤＳＣＤＭＡ、またはＬＴＥ）を含むセルサイトを考慮し得る。
【００８３】
[0094] 決定コンポーネント１２０６が信頼メトリックが満たされることを決定し、信号が決定コンポーネント１２０６から送信コンポーネント１２１２に送られるとき、送信コンポーネント１２１２は、近傍セル上の周波数バンドについての探索が失敗するときの周波数バンドに関連付けられた予め構成されたリソースを使用して、デバイス間通信を行い得る。例えば、信頼レベルメトリックは、１）過去の決定（例えば、予め構成されたバンド／eutra絶対無線周波数チャネル番号（eutra absolute radio frequency channel number）における近傍セルの検出をもたらした現在キャンプさせられているサービングセルにおけるＫ回の探索の中からのＮ回）またはしきい値を超えるそのような決定のフィルタリングされた値（例えば、無限インパルス応答フィルタ値）、２）近傍セルが検出されたときの様々なセルサイトからの信号強度、および／または、３）それ上で装置１２０２がキャンプさせられているサービングセルのサイズに基づいて、決定コンポーネント１２０６によって決定されることができる。一態様において、決定コンポーネント１２０６は、Ｗｉ−Ｆｉ、ベーシックサービスセット識別（ＢＳＳＩＤ）またはセルラサイト（例えば、ＣＤＭＡ、ＥＶＤＯ、ＧＳＭ、ＵＭＴＳ、ＴＤＳＣＤＭＡ、またはＬＴＥ）を含むセルサイトを考慮し得る。
【００８４】
[0095]決定コンポーネント１２０６は、デバイス間通信が周波数バンド上で許されないことを決定し得る。この状況において、探索コンポーネント１２０８は、バッテリ電力を節約するために探索を停止し得る。
【００８５】
[0096]装置は、図１０Ａ〜１０Ｃの前述のフローチャートにおけるアルゴリズムのブロックの各々を行う追加的なコンポーネントを含み得る。そのようなものとして、図１０Ａ〜１０Ｃの前述フローチャートにおける各ブロックは、コンポーネントによって行われ得、装置は、それらのコンポーネントのうちの１つまたは複数を含み得る。コンポーネントは、述べられたプロセス／アルゴリズムを実施するように特に構成された１つまたは複数のハードウェアコンポーネントであるか、述べられたプロセス／アルゴリズムを実行するよう構成されたプロセッサによってインプリメントされるか、プロセッサによるインプリメンテーションのためにコンピュータ読取り可能媒体内に記憶されるか、またはこれらの何らかの組合せであり得る。
【００８６】
[0097]図１２は、処理システム１３１４を用いる装置１２０２’のためのハードウェアインプリメンテーションの例を例示する図１３００である。処理システム１３１４は、バス１３２４によって一般に表される、バスアーキテクチャを用いてインプリメントされ得る。バス１３２４は、処理システム１３１４の特定のアプリケーションおよび全体的な設計制約に依存して、任意の数の相互接続バスおよびブリッジを含み得る。バス１３２４は、プロセッサ１３０４、コンポーネント１２０４、１２０６、１２０８、１２１０、１２１２、およびコンピュータ読取り可能媒体／メモリ１３０６によって表される、１つまたは複数のプロセッサおよび／またはハードウェアコンポーネントを含む様々な回路を互いにリンクさせる。バス１３２４はまた、タイミングソース、周辺機器、電圧レギュレータ、および電力管理回路のような様々な他の回路をリンクさせ得るが、これらは当該技術分野において周知であるため、これ以上は説明されない。
【００８７】
[0098]処理システム１３１４は、トランシーバ１３１０に結合され得る。トランシーバ１３１０は、１つまたは複数のアンテナ１３２０に結合される。トランシーバ１３１０は、送信媒体によって様々な他の装置と通信するための手段を提供する。トランシーバ１３１０は、１つまたは複数のアンテナ１３２０から信号を受信し、受信された信号から情報を抽出し、抽出された情報を、処理システム１３１４、特に受信コンポーネント１２０４に提供する。加えて、トランシーバ１３１０は、処理システム１３１４、特に送信コンポーネント１２１２から情報を受信し、受信された情報に基づいて、１つまたは複数のアンテナ１３２０に適用されるべき信号を生成する。処理システム１３１４は、コンピュータ読取り可能媒体／メモリ１３０６に結合されたプロセッサ１３０４を含む。プロセッサ１３０４は、コンピュータ読取り可能媒体／メモリ１３０６上に記憶されたソフトウェアの実行を含め、一般的な処理を担う。該ソフトウェアは、プロセッサ１３０４によって実行されると、処理システム１３１４に、あらゆる特定の装置について上記で説明された様々な機能を行わせる。コンピュータ読取り可能媒体／メモリ１３０６はまた、ソフトウェアを実行するとき、プロセッサ１３０４によって操作されるデータを記憶するために使用され得る。処理システム１３１４は、コンポーネント１２０４、１２０６、１２０８、１２１０、１２１２のうちの少なくとも１つをさらに含む。コンポーネントは、プロセッサ１３０４中で実行中であり、コンピュータ読取り可能媒体／メモリ１３０６の中に常駐（resident）する／記憶されたソフトウェアコンポーネント、プロセッサ１３０４に結合された１つまたは複数のハードウェアコンポーネント、またはそれらの何らかの組合せであり得る。処理システム１３１４は、ＵＥ３５０のコンポーネントであり得、メモリ３６０ならびに／あるいは、ＴＸプロセッサ３６８、ＲＸプロセッサ３５６、およびコントローラ／プロセッサ３５９のうちの少なくとも１つを含み得る。
【００８８】
[0099]１つの構成において、ワイヤレス通信のための装置１２０２／１２０２’は、第１のネットワークへのワイヤレス接続を確立するための手段を含む。別の態様において、ワイヤレス通信のための装置１２０２／１２０２’は、ネットワークへの接続のためのサービングセルを選択するための手段を含む。さらなる態様において、ワイヤレス通信のための装置１２０２／１２０２’は、デバイス間通信における使用のための近傍セル上の周波数バンドについての探索を行うための手段を含む。なお、別の態様において、ワイヤレス通信のための装置１２０２／１２０２’は、近傍セル上の周波数バンドについての探索が失敗するとき、周波数バンドに関連付けられた予め構成されたリソースを使用して、デバイス間通信を行うための手段を含む。なお別の態様において、ワイヤレス通信のための装置１２０２／１２０２’は、近傍セル上の周波数バンドについての探索が成功であるとき、近傍セルの周波数バンドに関連付けられたリソースを使用して、デバイス間通信を行うための手段を含む。さらなる態様において、デバイス間通信は、近傍セル上の周波数バンドについての探索が失敗するとき、予め構成されたオフセットタイミングを使用して行うための手段によって、行われる。さらに別の態様において、ワイヤレス通信のための装置１２０２／１２０２’は、近傍セルから受信されたシステム情報ブロックを使用して、近傍セルの周波数バンドに関連付けられたリソースを決定するための手段を含み、ここにおいて、システム情報ブロックは、近傍セルからのオーバヘッドメッセージにおいて受信される。さらに、ワイヤレス通信のための装置１２０２／１２０２’は、システム情報が変更されたかどうかを決定するために、ＳＩＢを復号するための手段を含む。追加的に、ワイヤレス通信のための装置１２０２／１２０２’は、システム情報が変更されたことが決定されるとき、少なくとも１つの追加的なＳＩＢを復号するための手段を含む。別の態様において、ワイヤレス通信のための装置１２０２／１２０２’は、近傍セルの周波数バンドを使用して、デバイス間送信を行うための手段を含む。さらに、ワイヤレス通信のための装置１２０２／１２０２’は、近傍セルの周波数バンドを使用して、デバイス間受信を行うための手段を含む。さらに、ワイヤレス通信のための装置１２０２／１２０２’は、サービングセルの周波数バンドを使用して、デバイス間送信を行うための手段を含む。その上に、ワイヤレス通信のための装置１２０２／１２０２’は、近傍セルの周波数バンドを使用して、デバイス間受信を行うための手段を含む。追加的に、ワイヤレス通信のための装置１２０２／１２０２’は、所定の数の探索の後に、ネットワーク接続が検出されないとき、近傍セル上の周波数バンドについての探索が失敗したことを決定するための手段を含む。追加的な態様において、ワイヤレス通信のための装置１２０２／１２０２’は、ネットワーク接続が、所定数の探索内で検出されたとき、近傍セル上の周波数バンドについての探索が成功であることを決定するための手段を含む。さらにさらなる態様において、ワイヤレス通信のための装置１２０２／１２０２’は、近傍セル上の周波数バンドについての探索が失敗する場合、ネットワーク接続が近傍セルと前に確立されたかどうかを決定するための手段を含む。加えて、ワイヤレス通信のための装置１２０２／１２０２’は、信頼メトリックに基づいて、近傍セル上の周波数バンドについての探索が失敗するとき、周波数バンドに関連付けられた予め構成されたリソースを使用して、デバイス間通信を行うための手段を含む。１つの態様において、デバイス間通信を行うための手段は、予め構成された優先度に基づいて、またはデバイス間通信において使用された前の周波数に基づいて、周波数のリストから周波数を選択することによって、周波数バンドに関連付けられた予め構成されたリソースを使用する。追加的に、デバイス間通信を行うための手段は、近傍セルからのシステム情報ブロックにおいて受信された優先度情報に基づいて、近傍周波数を選択することによって、近傍セルの周波数バンドに関連付けられたリソースを使用する。さらに依然として、ワイヤレス通信のための装置１２０２／１２０２’は、デバイス間通信が周波数バンド上で許されないことを決定するための手段を含む。別の態様において、ワイヤレス通信のための装置１２０２／１２０２’は、デバイス間通信が周波数バンド上で許されないとき、探索を停止するための手段を含む。
【００８９】
[00100]前述された手段は、前述された手段によって記載された機能を行うように構成された装置１２０２’の処理システム１３１４、および／または、装置１２０２の前述されたコンポーネントのうちの１つまたは複数であり得る。上記で説明されたように、処理システム１３１４は、ＴＸプロセッサ３６８、ＲＸプロセッサ３５６、およびコントローラ／プロセッサ３５９を含み得る。このように、一構成において、上述の手段は、上述の手段によって記載された機能を実行するように構成されたＴＸプロセッサ３６８、ＲＸプロセッサ３５６、およびコントローラ／プロセッサ３５９であり得る。
【００９０】
[00101]開示されたプロセス／フローチャートにおけるブロックの特定の順序または階層は例となるアプローチの例示であるということが理解される。設計の選好に基づいて、プロセス／フローチャートにおけるブロックの特定の順序または階層は再配列され得るということが理解される。さらに、いくつかのブロックが組み合わされ得るか、または省略され得る。添付の方法の請求項は、サンプルの順序で様々なブロックの要素を提示しており、提示された特定の順序または階層に限定されるようには意図されていない。
【００９１】
[00102]先の説明は、いかなる当業者であっても、ここに説明された様々な態様を実現することを可能にするために提供される。これらの態様への様々な修正は当業者には容易に明らかになり、本明細書で定義されている包括的な原理は他の態様に適用され得る。したがって、請求項は、本明細書で図示されている態様に限定されるようには意図されていないが、請求項の記載と一致した最大範囲を付与されることとし、ここにおいて、単数の要素への言及は、そのように特に述べられない限り、「１つおよび１つのみ」を意味するのではなく、むしろ「１つまたは複数」を意味するように意図されている。「例となる」という言葉は、「例、実例、または例示としての役目をする」を意味するように本明細書では使用されている。「例となる」として本明細書で説明されているいずれの態様も、必ずしも、他の態様よりも好まれる、または有利であると解釈されることとしない。そうでないと特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、およびＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または、複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１つまたは複数のメンバを含み得る。当業者に既知、もしくはいずれ既知となる本開示全体を通じて説明される様々な態様の要素に対する全ての構造的および機能的な同等物が、参照によってここに明示的に組み込まれ、請求項によって包含されるように意図されている。さらに、本明細書で開示されているいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。このように、どのクレーム要素も、該要素が「のための手段」というフレーズを使用して明示的に記載されていない限り、ミーンズプラスファンクションとして解釈されるべきではない。
以下に、本願の出願当初の特許請求の範囲に記載された発明を付記する。
［Ｃ１］
ワイヤレス通信の方法であって、
ネットワークへの接続のためのサービングセルを選択することと、
デバイス間通信における使用のための近傍セル上の周波数バンドについての探索を行うことと、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を備える、方法。
［Ｃ２］
前記デバイス間通信は、前記近傍セル上の前記周波数バンドについての前記探索が失敗するとき、予め構成されたオフセットタイミングを使用して、さらに行われる、Ｃ１に記載の方法。
［Ｃ３］
前記近傍セルから受信されたシステム情報ブロック（ＳＩＢ）を使用して、前記近傍セルの前記周波数バンドに関連付けられた前記リソースを決定すること、ここにおいて、前記システム情報ブロックは、前記近傍セルからのオーバヘッドメッセージにおいて受信される、と、
システム情報が変更されたかどうかを決定するために、前記ＳＩＢを復号することと、  前記システム情報が変更されたことが決定されるとき、少なくとも１つの追加的なＳＩＢを復号することと
をさらに備える、Ｃ１に記載の方法。
［Ｃ４］
前記近傍セルの前記周波数バンドを使用して、デバイス間送信を行うことと、
前記近傍セルの前記周波数バンドを使用して、デバイス間受信を行うことと
をさらに備える、Ｃ３に記載の方法。
［Ｃ５］
前記サービングセルの周波数バンドを使用して、デバイス間送信を行うことと、
前記近傍セルの前記周波数バンドを使用して、デバイス間受信を行うことと
をさらに備える、Ｃ３に記載の方法。
［Ｃ６］
所定の数の探索の後に、ネットワーク接続が検出されないとき、前記近傍セル上の前記周波数バンドについての前記探索が失敗したことを決定すること
をさらに備える、Ｃ１に記載の方法。
［Ｃ７］
ネットワーク接続が、１つまたは複数の所定数の探索内で検出されたとき、前記近傍セル上の前記周波数バンドについての前記探索が成功であることを決定すること
をさらに備える、Ｃ１に記載の方法。
［Ｃ８］
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
をさらに備える、Ｃ１に記載の方法。
［Ｃ９］
前記周波数バンドに関連付けられた予め構成されたリソースを使用して、前記デバイス間通信を行うことは、予め構成された優先度に基づいて、または前記デバイス間通信において使用された前の周波数に基づいて、周波数のリストから周波数を選択することを備え、
前記近傍セルの前記周波数バンドに関連付けられたリソースを使用して、前記デバイス間通信を行うことは、前記近傍セルからのシステム情報ブロックにおいて受信された優先度情報に基づいて、近傍周波数を選択することを備える、
Ｃ１に記載の方法。
［Ｃ１０］
前記デバイス間通信が前記周波数バンド上で許されないことを決定することと、
前記デバイス間通信が前記周波数バンド上で許されないとき、前記探索を停止することと
をさらに備える、Ｃ１に記載の方法。
［Ｃ１１］
ワイヤレス通信のための装置であって、
ネットワークへの接続のためのサービングセルを選択するための手段と、
デバイス間通信における使用のための近傍セル上の周波数バンドについての探索を行うための手段と、
前記近傍セル上の前記周波数バンドについての前記探索が失敗するとき、前記周波数バンドに関連付けられた予め構成されたリソースを使用して、前記デバイス間通信を行うための手段と、
前記近傍セル上の前記周波数バンドについての前記探索が成功であるとき、前記近傍セルの前記周波数バンドに関連付けられたリソースを使用して、前記デバイス間通信を行うための手段と
を備える、装置。
［Ｃ１２］
前記デバイス間通信は、前記近傍セル上の前記周波数バンドについての前記探索が失敗するとき、予め構成されたオフセットタイミングを使用して行うための前記手段によって、行われる、Ｃ１１に記載の装置。
［Ｃ１３］
前記近傍セルから受信されたシステム情報ブロック（ＳＩＢ）を使用して、前記近傍セルの前記周波数バンドに関連付けられた前記リソースを決定するための手段、ここにおいて、前記システム情報ブロックは、前記近傍セルからのオーバヘッドメッセージにおいて受信される、と、
システム情報が変更されたかどうかを決定するために、前記ＳＩＢを復号するための手段と、
前記システム情報が変更されたことが決定されるとき、少なくとも１つの追加的なＳＩＢを復号するための手段と
をさらに備える、Ｃ１１に記載の装置。
［Ｃ１４］
前記近傍セルの前記周波数バンドを使用して、デバイス間送信を行うための手段と、  前記近傍セルの前記周波数バンドを使用して、デバイス間受信を行うための手段と
をさらに備える、Ｃ１３に記載の装置。
［Ｃ１５］
前記サービングセルの周波数バンドを使用して、デバイス間送信を行うための手段と、  前記近傍セルの前記周波数バンドを使用して、デバイス間受信を行うための手段と、  をさらに備える、Ｃ１３に記載の装置。
［Ｃ１６］
所定の数の探索の後に、ネットワーク接続が検出されないとき、前記近傍セル上の前記周波数バンドについての前記探索が失敗したことを決定するための手段と、
をさらに備える、Ｃ１１に記載の装置。
［Ｃ１７］
ネットワーク接続が、１つまたは複数の探索内で検出されたとき、前記近傍セル上の前記周波数バンドについての前記探索が成功であることを決定するための手段
をさらに備える、Ｃ１１に記載の装置。
［Ｃ１８］
前記近傍セル上の前記周波数バンドについての前記探索が失敗する場合、ネットワーク接続が前記近傍セルと前に確立されたかどうかを決定するための手段と、
信頼メトリックに基づいて、前記近傍セル上の前記周波数バンドについての前記探索が失敗するとき、前記周波数バンドに関連付けられた前記予め構成されたリソースを使用して、前記デバイス間通信を行うための手段と
をさらに備える、Ｃ１１に記載の装置。
［Ｃ１９］
前記デバイス間通信を行うための手段は、予め構成された優先度に基づいて、または前記デバイス間通信において使用された前の周波数に基づいて、周波数のリストから周波数を選択することによって、前記周波数バンドに関連付けられた予め構成されたリソースを使用し、
前記デバイス間通信を行うための手段は、前記近傍セルからのシステム情報ブロックにおいて受信された優先度情報に基づいて、近傍周波数を選択することによって、前記近傍セルの前記周波数バンドに関連付けられたリソースを使用する、
Ｃ１１に記載の装置。
［Ｃ２０］
前記デバイス間通信が前記周波数バンド上で許されないことを決定するための手段と、  前記デバイス間通信が前記周波数バンド上で許されないとき、前記探索を停止するための手段と
をさらに備える、Ｃ１１に記載の装置。
［Ｃ２１］
ワイヤレス通信のための装置であって、
メモリと、
前記メモリに結合され、および
ネットワークへの接続のためのサービングセルを選択することと、
デバイス間通信における使用のための近傍セル上の周波数バンドについての探索を行うことと、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を行うように構成された、少なくとも１つのプロセッサと
を備える、装置。
［Ｃ２２］
前記少なくとも１つのプロセッサは、前記近傍セル上の前記周波数バンドについての前記探索が失敗するとき、予め構成されたオフセットタイミングを使用して、前記デバイス間通信を行うように構成される、Ｃ２１に記載の装置。
［Ｃ２３］
前記少なくとも１つのプロセッサは、
前記近傍セルから受信されたシステム情報ブロック（ＳＩＢ）を使用して、前記近傍セルの前記周波数バンドに関連付けられた前記リソースを決定すること、ここにおいて、前記システム情報ブロックは、前記近傍セルからのオーバヘッドメッセージにおいて受信される、と、
システム情報が変更されたかどうかを決定するために、前記ＳＩＢを復号することと、  前記システム情報が変更されたことが決定されるとき、少なくとも１つの追加的なＳＩＢを復号することと
を行うようにさらに構成される、Ｃ２１に記載の装置。
［Ｃ２４］
前記少なくとも１つのプロセッサは、
前記近傍セルの前記周波数バンドを使用して、デバイス間送信を行うことと、
前記近傍セルの前記周波数バンドを使用して、デバイス間受信を行うことと
を行うようにさらに構成される、Ｃ２３に記載の装置。
［Ｃ２５］
前記少なくとも１つのプロセッサは、
前記サービングセルの周波数バンドを使用して、デバイス間送信を行うことと、
前記近傍セルの前記周波数バンドを使用して、デバイス間受信を行うことと
を行うようにさらに構成される、Ｃ２３に記載の装置。
［Ｃ２６］
前記少なくとも１つのプロセッサは、
所定の数の探索の後に、ネットワーク接続が検出されないとき、前記近傍セル上の前記周波数バンドについての前記探索が失敗したことを決定することと
を行うようにさらに構成される、Ｃ２１に記載の装置。
［Ｃ２７］
前記少なくとも１つのプロセッサは、
ネットワーク接続が、１つまたは複数の探索内で検出されたとき、前記近傍セル上の前記周波数バンドについての前記探索が成功であることを決定すること
を行うようにさらに構成される、Ｃ２１に記載の装置。
［Ｃ２８］
前記少なくとも１つのプロセッサは、
前記近傍セル上の前記周波数バンドについての前記探索が失敗する場合、ネットワーク接続が前記近傍セルと前に確立されたかどうかを決定することと、
信頼メトリックに基づいて、前記近傍セル上の前記周波数バンドについての前記探索が失敗するとき、前記周波数バンドに関連付けられた前記予め構成されたリソースを使用して、前記デバイス間通信を行うことと
を行うようにさらに構成される、Ｃ２１に記載の装置。
［Ｃ２９］
前記少なくとも１つのプロセッサは、
予め構成された優先度に基づいて、または前記デバイス間通信において使用された前の周波数に基づいて、周波数のリストから周波数を選択することによって、前記周波数バンドに関連付けられた予め構成されたリソースを使用して、前記デバイス間通信を行うことと、
前記近傍セルからのシステム情報ブロックにおいて受信された優先度情報に基づいて、近傍周波数を選択することによって、前記近傍セルの前記周波数バンドに関連付けられたリソースを使用して、前記デバイス間通信を行うことと
を行うように構成される、Ｃ２１に記載の装置。
［Ｃ３０］
ワイヤレス通信のためのコンピュータ実行可能コードを記憶するコンピュータ読取り可能媒体であって、
ネットワークへの接続のためのサービングセルを選択することと、
デバイス間通信における使用のための近傍セル上の周波数バンドについての探索を行うことと、
前記近傍セル上の前記周波数バンドについての前記探索が失敗するとき、前記周波数バンドに関連付けられた予め構成されたリソースを使用して、前記デバイス間通信を行うことと、
前記近傍セル上の前記周波数バンドについての前記探索が成功であるとき、前記近傍セルの前記周波数バンドに関連付けられたリソースを使用して、前記デバイス間通信を行うことと
を行うためのコードを備える、コンピュータ読取り可能媒体。
【図１】
0006797904.tif 000002
【図２】
0006797904.tif 000003
【図３】
0006797904.tif 000004
【図４】
0006797904.tif 000005
【図５】
0006797904.tif 000006
【図６】
0006797904.tif 000007
【図７】
0006797904.tif 000008
【図８】
0006797904.tif 000009
【図９】
0006797904.tif 000010
【図１０Ａ】
0006797904.tif 000011
【図１０Ｂ】
0006797904.tif 000012
【図１０Ｃ】
0006797904.tif 000013
【図１１】
0006797904.tif 000014
【図１２】
0006797904.tif 000015